(57)【要約】      （修正有）【課題】有効に水切りができるとともに、衛生的かつ安定的に棒状道具を掛止することができる掛止リングを提供する。【解決手段】環設部材１０と、環設部材１０に連結される連結部材２０と、連結部材２０に連結されると共に、外表面を有する支持球体３０と、支持球体３０の外表面に設けられる滑り止め部材４０とを有する。環設部材１０は、輪状本体を有する。輪状本体は、外周面１１と内周面１２とを備える。連結部材２０は、固定端部と、結合端部２２とを有する。固定端部は、環設部材１０の輪状本体の外周面１１に固定される。【選択図】図２
0003201218.tif 000002
【実用新案登録請求の範囲】
【請求項１】
環設部材と、
前記環設部材に連結される連結部材と、
前記連結部材に連結されると共に、外表面を有する支持球体と、
前記支持球体の外表面に設けられる滑り止め部材とを有することを特徴とする掛止リング。
【請求項２】
前記環設部材は、外周面と内周面とを備える輪状本体を有し、
前記連結部材は、前記環設部材の外周面に固定される固定端部と、結合端部とを有し、
前記支持球体は、前記連結部材の結合端部に結合されることを特徴とする請求項１に記載の掛止リング。
【請求項３】
前記連結部材は、前記環設部材に連結される固定たがであり、
前記支持球体は、前記連結部材に嵌設されることを特徴とする請求項１に記載の掛止リング。
【請求項４】
前記環設部材の輪状本体は、１つの切口が形成されるＣ字形リングであることを特徴とする請求項２に記載の掛止リング。
【請求項５】
前記環設部材は、面ファスナーバンドを有し、
前記連結部材の固定端部は、前記環設部材の面ファスナーバンドに固定されることを特徴とする請求項１に記載の掛止リング。
【請求項６】
前記環設部材は、さらに面ファスナーバンドを有し、
前記連結部材の固定端部は、さらに前記環設部材の面ファスナーバンドに固定されることを特徴とする請求項２に記載の掛止リング。
【請求項７】
前記環設部材は、内部空間と、内縁部と、外縁部と、前記内縁部に形成される内部面取り面と、前記外縁部に形成される外部面取り面とを備える中空状の固定たがであり、
前記連結部材は、一体化的に前記環設部材に成形されるものであることを特徴とする請求項３に記載の掛止リング。
【請求項８】
前記滑り止め部材は、着脱可能に前記支持球体の外表面に被装され、弾力性を有するものであることを特徴とする請求項１ないし請求項７のいずれか一項に記載の掛止リング。
【請求項９】
前記滑り止め部材は、前記支持球体の外表面に固着され、弾力性を有するものであることを特徴とする請求項１ないし請求項７のいずれか一項に記載の掛止リング。
【請求項１０】
前記滑り止め部材は、前記支持球体の外表面に配置されるフォーム材料から成る球状カバーであることを特徴とする請求項８に記載の掛止リング。
【請求項１１】
前記滑り止め部材は、前記支持球体の外表面に配置されるフォーム材料から成る被包バンドであることを特徴とする請求項８に記載の掛止リング。
【請求項１２】
前記滑り止め部材は、前記支持球体の外表面に固着されるにかわコーティングであることを特徴とする請求項９に記載の掛止リング。
【考案の詳細な説明】
【技術分野】
【０００１】
本考案は、リング部材に関し、特に棒状道具に適用されるすべり止め効果を有する掛止リングに関するものである。
【背景技術】
【０００２】
例えば傘、パラソル、モップ、箒などの棒状道具を使っていない時、普通、該棒状道具の一端を地上に置き、もう一端を壁などの構造物に立てかける。
【先行技術文献】
【特許文献】
【０００３】
【特許文献１】特開２００４−３２９４６８号公報
【考案の概要】
【考案が解決しようとする課題】
【０００４】
しかしながら、壁などにもたれかかることで、壁などに接触する傘やパラソルのハンドルに汚れが移りやすいので、特に衛生条件に関心を持つ使用者にとって、不愉快の原因になることがある。
【０００５】
また、洗浄されたモップを壁に立てかける時、モップヘッドを上に向かせると、モップヘッドの水分が柄を沿って流出し、柄全体が汚くなってしまう一方、モップヘッドを下に向かせると、該モップヘッドが床に接触してしまい、モップ洗浄の努力は徒労になってしまう。箒を壁に立てかけるのは一般であるが、壁にもたれかける箒の柄が該壁の表面に沿って摺動し、やがて横に倒れることがよく起こる。
【０００６】
即ち、各種類の棒状道具を静置させる時、衛生性、水切りの利便性、並びに安定性などの側面の改善は係る技術分野の課題になる。
【０００７】
そこで、案出されたのが本考案であって、有効に水切りを行う事ができるとともに、棒状道具を横に寝かせないように、衛生的かつ安定的に棒状道具を掛止することができる掛止リングを提供することを目的としている。
【課題を解決するための手段】
【０００８】
本願の請求項１の発明は、環設部材と、
前記環設部材に連結される連結部材と、
前記連結部材に連結されると共に、外表面を有する支持球体と、
前記支持球体の外表面に設けられる滑り止め部材とを有することを特徴とする掛止リング、を提供する。
【０００９】
本願の請求項２の発明は、前記環設部材は、外周面と内周面とを備える輪状本体を有し、
前記連結部材は、前記環設部材の外周面に固定される固定端部と、結合端部とを有し、
前記支持球体は、前記連結部材の結合端部に結合されることを特徴とする請求項１に記載の掛止リング、を提供する。
【００１０】
本願の請求項３の発明は、前記連結部材は、前記環設部材に連結される固定たがであり、
前記支持球体は、前記連結部材に嵌設されることを特徴とする請求項１に記載の掛止リング、を提供する。
【００１１】
本願の請求項４の発明は、前記環設部材の輪状本体は、１つの切口が形成されるＣ字形リングであることを特徴とする請求項２に記載の掛止リング、を提供する。
【００１２】
本願の請求項５の発明は、前記環設部材は、面ファスナーバンドを有し、
前記連結部材の固定端部は、前記環設部材の面ファスナーバンドに固定されることを特徴とする請求項１に記載の掛止リング、を提供する。
【００１３】
本願の請求項６の発明は、前記環設部材は、さらに面ファスナーバンドを有し、
前記連結部材の固定端部は、さらに前記環設部材の面ファスナーバンドに固定されることを特徴とする請求項２に記載の掛止リング、を提供する。
【００１４】
本願の請求項７の発明は、前記環設部材は、内部空間と、内縁部と、外縁部と、前記内縁部に形成される内部面取り面と、前記外縁部に形成される外部面取り面とを備える中空状の固定たがであり、
前記連結部材は、一体化的に前記環設部材に成形されるものであることを特徴とする請求項３に記載の掛止リング、を提供する。
【００１５】
本願の請求項８の発明は、前記滑り止め部材は、着脱可能に前記支持球体の外表面に被装され、弾力性を有するものであることを特徴とする請求項１ないし請求項７のいずれか一項に記載の掛止リング、を提供する。
【００１６】
本願の請求項９の発明は、前記滑り止め部材は、前記支持球体の外表面に固着され、弾力性を有するものであることを特徴とする請求項１ないし請求項７のいずれか一項に記載の掛止リング、を提供する。
【００１７】
本願の請求項１０の発明は、前記滑り止め部材は、前記支持球体の外表面に配置されるフォーム材料から成る球状カバーであることを特徴とする請求項８に記載の掛止リング、を提供する。
【００１８】
本願の請求項１１の発明は、前記滑り止め部材は、前記支持球体の外表面に配置されるフォーム材料から成る被包バンドであることを特徴とする請求項８に記載の掛止リング、を提供する。
【００１９】
本願の請求項１２の発明は、前記滑り止め部材は、前記支持球体の外表面に固着されるにかわコーティングであることを特徴とする請求項９に記載の掛止リング、を提供する。
【考案の効果】
【００２０】
本考案は上記の課題を解決するものであり、棒状道具を前記環設部材に挿入させると、該支持球体を例えば壁の上面、テーブルの端に置くことにより、該棒状道具を掛けることができるので、傘、パラソルの場合、そのハンドルが壁などに接触せずに済み、モップの場合、モップヘッドを下に向かせても綺麗に水切りを行い、箒の場合は、横に倒れることが避けられる。また、壁に持たれかける従来の方法では、該棒状道具は傾斜状態になり、占めた空間が増大してしまうことに対して、本考案の掛止リングにより、棒状道具を掛けることは、該棒状道具をほぼ垂直状態にすることができるので、占めた空間を低減させ、より有効に空間を利用することができる。
【図面の簡単な説明】
【００２１】
【図１】本考案に係る掛止リングの第一実施例を示す斜視図である。
【図２】本考案に係る掛止リングの第一実施例を示す分解斜視図である。
【図３】本考案に係る掛止リングの第一実施例を示す平面断面図である。
【図４】本考案に係る掛止リングの第二実施例を示す平面断面図である。
【図５】本考案に係る掛止リングの第三実施例を示す平面断面図である。
【図６】本考案に係る掛止リングの第一実施例の使用状態を示す斜視図である。
【図７】本考案に係る掛止リングの第一実施例の他の使用状態を示す側面図である。
【図８】本考案に係る掛止リングの第四実施例の使用状態を示す側面図である。
【考案を実施するための形態】
【００２２】
以下、添付図面を参照して本考案の好適な実施の形態を詳細に説明する。
【００２３】
図１及び図２に示すように、本考案に係る掛止リングの第一実施例は、環設部材１０と、前記環設部材１０に連結される連結部材２０と、前記連結部材２０に連結される支持球体３０と、前記支持球体３０に設けられる滑り止め部材４０とを有する。
【００２４】
本実施例において、前記環設部材１０は、輪状本体を有する。該輪状本体は、外周面１１と内周面１２とを備える。
【００２５】
前記連結部材２０は、固定端部２１と、結合端部２２とを有する。該固定端部２１は、前記環設部材１０に固定される。本実施例において、前記連結部材２０の固定端部２１は、前記環設部材１０の輪状本体の外周面１１に固定される。本考案に係る掛止リングの環設部材の輪状本体は、切口が形成されていないＯ字形リングであってもよいが、本実施例のように、前記環設部材１０の輪状本体が、一つの切口１３が形成されるＣ字形リングであっても構わない。この環設部材１０の輪状本体Ｃ字形リングである態様では、一定の変形を許容するので、棒状道具を挿入させる時に、利便性を向上させる効果を提供する。
【００２６】
本実施例において、例示された態様以外、前記環設部材１０は、前記輪状本体を備えながら、さらに面ファスナーバンド（図示せず）を有してもよい。また、この態様では、前記連結部材２０の固定端部２１がさらに前記環設部材１０の面ファスナーバンドに固定されることが好ましい。具体的に言えば、該面ファスナーバンド及び該輪状本体を共に前記連結部材２０の固定端部２１に熱溶着させることがより好ましい。これにより、棒状道具を前記環設部材１０の輪状本体に挿入させてもよいが、前記環設部材１０の面ファスナーバンドで該棒状道具を保持することもできることから、使用者に対して著しく利便性を増大させることができる。
【００２７】
本考案の他の実施可能な態様において、前記環設部材１０は、前記輪状本体を備えずに、前記面ファスナーバンドからなるものであってもよい。該面ファスナーバンドにより、便利的に大径の棒状道具を保持することができる。また、この態様では、前記連結部材２０の固定端部２１は前記環設部材１０の面ファスナーバンドに固定される。
【００２８】
前記支持球体３０は、前記連結部材２０の結合端部２２に結合されると共に、外表面を有する。本考案に係る掛止リングにより棒状道具を掛止するために、該支持球体３０は、主に該支持球体３０を例えば壁の上面、テーブルの端などの箇所に設置される。該支持球体３０は球体である故、例えばテーブルの端などの平面に設置されても、該支持球体３０における該平面に対応し、接触する箇所が支持部をなし、安定的に該棒状道具を掛止することができる。例え該支持球体３０が平面でなく、不規則形状を呈する壁の上面に設置されても、球体である構造は該不規則形状に対応、接触するので、支持部を形成し、安定的に棒状道具を掛止することができる。また、前記壁の上面、テーブルの端などが斜面を呈する場合でも、支持部を形成し、その効果を発揮させることができる。
【００２９】
前記滑り止め部材４０は、前記支持球体３０の外表面に設けられるものである。図３に示すように、本実施例において、前記滑り止め部材４０は、着脱可能に前記支持球体３０の外表面に被装され、弾力性を有する。具体的に、前記滑り止め部材４０は、前記支持球体３０の外表面に配置されるフォーム材料から成る球状カバーである。該支持球体３０が平面、不規則形状または斜面に適応し得ることは上述した通り、該滑り止め部材４０は、さらに該支持球体３０が設置箇所に形成させた支持部において、滑り止め効果を提供することができる。本実施例におけるフォーム材料から成る球状カバーである滑り止め部材４０を例として、この滑り止め部材４０は一つの開口４１を有するので、該滑り止め部材４０を着脱可能に前記支持球体３０の外表面に設けることができる。前記該支持球体３０が設置箇所に形成させた支持部では、該フォーム材料から成る球状カバーである滑り止め部材４０は圧力をを受けて扁平状になり、本考案に係る掛止リングと支持球体３０の設置箇所との接触面積を増大させ、滑り止め効果に寄与する。さらに、本考案に係る掛止リングにおける滑り止め部材４０とされるフォーム材料から成る球状カバーは支持球体３０から着脱可能なものであるので、該滑り止め部材４０を支持球体３０から離脱させ、独自に洗浄すること、本考案に係る掛止リング外観の綺麗さを保つことに繋がる。
【００３０】
図４に示すように、本考案の第二実施例は、前記第一実施例とほぼ同様であるが、この第二実施例の滑り止め部材５０が前記支持球体３０の外表面に配置されるフォーム材料から成る被包バンドであることで異なる。本実施例の滑り止め部材５０は、二つの貫通孔５１、５２を有する。該滑り止め部材５０を支持球体３０に取り付ける時、二つの貫通孔５１、５２のいずれを通して該支持球体３０をはめても構わない。該滑り止め部材５０を該支持球体３０に配置すると、二つの貫通孔５１、５２のうちの一つは前記連結部材２０の結合端部２２に対応し、もう一つの貫通孔５１、５２は該支持球体３０における該連結部材２０の結合端部２２の反対方向に対応する。これにより、該滑り止め部材５０を該支持球体３０から離脱させる時、指を該該支持球体３０における該連結部材２０の結合端部２２の反対方向に位置する貫通孔５１、５２に入れて、迅速かつ有効的に滑り止め部材５０を離脱させることができる。
【００３１】
図５に示すように、本考案の第三実施例は、前記第一実施例とほぼ同様であるが、この第三実施例の滑り止め部材６０が前記支持球体３０の外表面に固着されるにかわコーティングであることで異なる。これにより、該滑り止め部材６０とされるにかわコーティングは、その滑り止め性質によって該支持球体３０が設置箇所に形成させた支持部において、滑り止め効果を発揮させ、本考案に係る掛止リングで棒状道具を掛止する目的を達成することができる。
【００３２】
図１ないし図３および図６に示すように、本考案の第一実施例が傘７０に適用され、該傘７０は傘布７５、骨組みの枢軸になる中棒７４、該中棒７４から延出してなるハンドル７２、該ハンドル７２の末端に形成されるホック７１を有し、本考案の第一実施例に係る掛止リングに該ハンドル７２が挿入させられ、外表面に前記滑り止め部材４０が設けられる該支持球体３０がテーブルの端に設置されることにより、該傘７０が安定的に該テーブルの端に掛けられる。また、該ハンドル７２は該テーブルの縁部に当接する箇所に当接部７３が形成されるので、該傘７０をほぼ垂直状態でいられるように保持することから、空間の有効利用に繋がる。
【００３３】
また、該傘７０が本考案に係る掛止リングにより掛けられている状態では、該ハンドル７２も該ホック７１も壁など衛生に害をもたらす可能性を有するところと接触せずに済むので、高度な衛生条件に応じることができる。また、該傘７０はほぼ垂直状態に掛けられているので、傘布７５に付いている水分は順調に下へ該傘７０から流出することから、収納または次の使用ができるように、該傘７０を迅速に乾燥させることができる。
【００３４】
さらに、閉傘状態の該傘７０を、その石突から本考案に係る掛止リングに挿入させて使用してもよい。その挿入の動きは直線的なものであるので、より便利かつ簡単的に本考案を使用することができる。
【００３５】
図７に示すように、本考案に係る掛止リングを同様に、モップ８０に適用し、該モップ８０の柄８２を挿入させ、該柄８２が壁の表面に当接する箇所に当接部８３が形成されることにより、上述した通り、該モップ８０がほぼ垂直状態に掛けられているので、モップ８０の柄８２の一端に設けられるモップヘッド８１の水分はその繊維から下に向いて流出し、より有効に水切りをすることができる。これのみならず、水切りが有効に行われる同時に、洗浄された該モップヘッド８１は床、壁などに一切接触しないので、該モップヘッド８１を再び汚れ部ことを避ける事ができ、乾燥されたモップ８０を洗浄後の清潔状態を保持したまま収納し、次の使用に備えることができる。
【００３６】
なお、本考案に係る掛止リングは小型であるので、常時該傘７０のハンドル７２または該モップ８０の柄８２に設置しても、該傘７０又は該モップ８０の使用を妨げない。よって、本考案に係る掛止リングを該傘７０または該モップ８０に一体化したものにしても構わない。これにより、該傘７０又は該モップ８０などの棒状道具を本考案に係る掛止リングに挿入させる作業をしなくても、便利に該棒状道具を掛けることができる。
【００３７】
図８に示すように、本考案の第四実施例は、前記第一実施例とほぼ同様であり、環設部材１０Ａと、前記環設部材１０Ａに連結される連結部材２０Ａと、前記連結部材２０Ａに連結される支持球体３０と、前記支持球体３０に設けられる滑り止め部材６０とを有するが、この第四実施例の環設部材１０Ａは、内部空間１４と、内縁部と、外縁部と、前記内縁部に形成される内部面取り面１５Ａと、前記外縁部に形成される外部面取り面１６Ａとを備える点で異なる。上記構成を有するので、本実施例に係る掛止リングを例えば傘７０などの棒状道具に適用する時、該内部面取り面１５Ａにより該傘７０の石突７６から傘布７５をスムーズに収めるする同時に、該傘７０を挿入させ、該掛止リングを傘７０に設置する。また、本実施例に係る掛止リングは前記外部面取り面１６Ａを有するので、本実施例に係る掛止リングの形状が丸くなり、より便利に使用することができる。さらに、本実施例に係る掛止リングの環設部材１０Ａの内部に内部空間１４が形成されるので、製造のための材料の節約に寄与し、高ストを低減させるだけでなく、該掛止リングの重量が低減するので、より携帯に便利なものになる。
【００３８】
本実施例に係る掛止リングの支持球体３０および滑り止め部材６０は上記第三実施例と同様のものである。即ち、本実施例において、該滑り止め部材６０は、前記支持球体３０の外表面に固着されるにかわコーティングである。また、本実施例に係る掛止リングの連結部材２０Ａは、前記環設部材１０Ａに連結される固定たがであり、前記連結部材２０Ａは、一体化的に前記環設部材１０Ａに成形され、前記外表面ににかわコーティングである滑り止め部材６０が固着される支持球体３０は、前記連結部材２０Ａに嵌設される。よって、本実施例に係る掛止リングを例えば傘７０などの棒状道具に適用する時、上述した通り、該支持球体３０を例えばテーブルの端などに設置し、該滑り止め部材６０で滑り止め効果を発揮させ、該傘７０の傘布７５がテーブルの端に当接させることにより、当接部７３Ａを形成させて、該傘７０が安定的に該テーブルの端に掛けられる。
【産業上の利用可能性】
【００３９】
本考案は上記の構成を有するので、有効に水切りを行う事ができるとともに、棒状道具を横に寝かせないように、衛生的かつ安定的に棒状道具を掛止することができる掛止リングを提供することができる。
【符号の説明】
【００４０】
１０、１０Ａ環設部材
１１  外周面
１２  内周面
１３  切口
１４  内部空間
１５Ａ 内部面取り面
１６Ａ 外部面取り面
２０、２０Ａ連結部材
２１  固定端部
２２  結合端部
３０  支持球体
４０  滑り止め部材
４１  開口
５０  滑り止め部材
５１、５２ 貫通孔
６０  滑り止め部材
【図１】
0003201218.tif 000003
【図２】
0003201218.tif 000004
【図３】
0003201218.tif 000005
【図４】
0003201218.tif 000006
【図５】
0003201218.tif 000007
【図６】
0003201218.tif 000008
【図７】
0003201218.tif 000009
【図８】
0003201218.tif 000010